(57)【要約】【課題】  薬剤瓶を密閉している栓体に両頭針本体の針先を栓体の上面に対して直角な方向に確実に刺すことができ、栓体の脱落を防止することができる針先ガイド器具の提供を課題とする。【解決手段】  針先ガイド器具は、円筒状の瓶側ガイド部材４０と円筒状の針側ガイド部材５０とによって構成されている。両頭針１０は、両頭針本体１１と円筒状のカバー部１２と両頭針本体１１を支持する支持板１３とによって構成されている。薬剤瓶２０の瓶口２１の内側はゴム製の栓体２２によって密閉されている。瓶側ガイド部材４０の上面には貫通口４２を有する天板部４１が形成されている。瓶側ガイド部材４０の外径Ｃは針側ガイド部材５０の内径に略等しく、また、内径は瓶口２１の外径Ａと略等しい。針側ガイド部材５０の外径はカバー部１２の内径に略等しい。【選択図】  図１
0003159642.tif 000002
【実用新案登録請求の範囲】
【請求項１】
薬剤や薬液を内部に収納し且つゴム製の栓体によってその瓶口が密閉されている薬剤瓶の当該栓体を貫通する針先を両端部に具えた両頭針本体の中央部が、円筒状のカバー部の内側の中央部を閉塞するように設けられた円盤状の支持板の中心部を貫通した状態で固定されている両頭針と、前記薬剤瓶の前記瓶口との間に介装される針先ガイド器具であって、
円筒状の瓶側ガイド部材と円筒状の針側ガイド部材との組み合せからなり、
前記円筒状の瓶側ガイド部材の一方の開口側には中央部に貫通口を有する天板部が配設され、且つ当該瓶側ガイド部材の内径は前記薬剤瓶の前記瓶口の外径と略等しい値に選ばれて当該瓶口の上部に冠着可能であり、
前記円筒状の針側ガイド部材の内径は前記瓶側ガイド部材の外径と略等しい値に選ばれ、且つ当該針側ガイド部材の外径は前記両頭針の円筒状の前記カバー部の内径と略等しい値に選ばれ、
前記針側ガイド部材が前記両頭針のカバー部の内側に嵌入自在、且つ前記瓶側ガイド部材が前記針側ガイド部材の内側に嵌入自在となっていることを特徴とする針先ガイド器具。
【請求項２】
前記瓶側ガイド部材を前記針側ガイド部材の内側に嵌入させた状態で当該針側ガイド部材を前記両頭針の前記カバー部の内側に嵌入させた際、前記瓶側ガイド部材の前記天板部が前記両頭針の前記支持板に接触可能となるように位置決めされた状態で前記針側ガイド部材と前記瓶側ガイド部材とが固定化されていることを特徴とする請求項１に記載の針先ガイド器具。
【考案の詳細な説明】
【技術分野】
【０００１】
本考案は、薬剤等が収納されている薬剤瓶を密閉しているゴム製の栓体に両頭針の針先を刺す際に用いる針先ガイド器具に関するものである。
【背景技術】
【０００２】
現在、病院等の医療施設においては、図７に示したような薬剤瓶３０内の薬液Ｍを、点滴用チューブ６０を介して患者に投与する方法が多用されている。３２は、点滴用チューブ６０を接続するためのゴム製の栓体である。
【０００３】
通常このような薬液Ｍは、経年変化を防ぐために、図８（ａ）に示したように、固体状の薬剤Ｘと液体状の薬液Ｙとに分離した状態で保管されており、使用する直前に、この薬剤Ｘと薬液Ｙとを混合して薬液Ｍを作り、その薬液Ｍを患者に投与している。
【０００４】
薬剤Ｘを収納してある薬剤瓶２０の内部と、薬液Ｙを収納してある薬剤瓶３０の内部とを連通させる器具としては、図８（ａ）に示したような構成の両頭針１０が用いられている。このような両頭針１０は、円筒状のカバー部１２の中央部を仕切っている円盤状の支持板１３の中心部に、両端部に針先が形成されている両頭針本体１１の中央部が貫通した状態で固定されている構成になっている。
【０００５】
薬剤Ｘと薬液Ｙとを混合して薬液Ｍを作る場合には、図８（ａ）に示したように、薬剤瓶２０を密閉しているゴム製の栓体に両頭針本体１１の一方の側の針先を刺した後、他方の針先を、薬剤瓶３０の瓶口３１の内側を密閉しているゴム製の栓体３２に刺して図８（ｂ）に示したように薬剤瓶２０と薬剤瓶３０との内部を連通させた状態にする。このような状態で、薬液Ｙを薬剤瓶２０に入れて薬剤Ｘを溶かし、その溶液を再び薬剤瓶３０に回収した後、薬剤瓶３０から両頭針１０を外して薬液Ｍの製作を終了する。
【考案の概要】
【考案が解決しようとする課題】
【０００６】
以上説明した薬剤Ｘと薬液Ｙとを混合する過程において、図９（ａ）に示したように、薬剤瓶２０の瓶口２１の内側を密閉しているゴム製の栓体２２に、両頭針本体１１の針先を栓体２２の上面に直角な方向ではなく傾けた状態で刺そうとした場合には、両頭針本体１１の外径は通常の注射針に比して太いために針先が刺さらず、その針先に押されて栓体２２が薬剤瓶２０の内部側に脱落してしまうことがあった。このように、図９（ｂ）に示したような栓体２２が脱落した状態においては、薬剤Ｘが外気に触れて汚染されてしまう可能性があるために、このような薬剤Ｘは患者に投与することは出来ず廃棄処分にしなければならない。なお、図９（ａ），（ｂ）において、２３は、栓体２２を瓶口２１に固定するための金属部材である。
【０００７】
即ち、従来は薬剤瓶２０の栓体２２に両頭針本体１１を上面に対して直角な方向に刺さない場合には、薬剤瓶２２内の薬剤Ｘを無駄にしてしまうという虞があった。
【課題を解決するための手段】
【０００８】
以上の問題を解決するために本考案は、薬剤や薬液を内部に収納し且つゴム製の栓体によってその瓶口が密閉されている薬剤瓶の当該栓体を貫通する針先を両端部に具えた両頭針本体の中央部が、円筒状のカバー部の内側の中央部を閉塞するように設けられた円盤状の支持板の中心部を貫通した状態で固定されている両頭針と、前記薬剤瓶の前記瓶口との間に介装される針先ガイド器具であって、円筒状の瓶側ガイド部材と円筒状の針側ガイド部材との組み合せからなり、前記円筒状の瓶側ガイド部材の一方の開口側には中央部に貫通口を有する天板部が配設され、且つ当該瓶側ガイド部材の内径は前記薬剤瓶の前記瓶口の外径と略等しい値に選ばれて当該瓶口の上部に冠着可能であり、前記円筒状の針側ガイド部材の内径は前記瓶側ガイド部材の外径と略等しい値に選ばれ、且つ当該針側ガイド部材の外径は前記両頭針の円筒状の前記カバー部の内径と略等しい値に選ばれ、前記針側ガイド部材が前記両頭針のカバー部の内側に嵌入自在、且つ前記瓶側ガイド部材が前記針側ガイド部材の内側に嵌入自在となっていることを特徴とするものである。ここで、前記瓶側ガイド部材を前記針側ガイド部材の内側に嵌入させた状態で当該針側ガイド部材を前記両頭針の前記カバー部の内側に嵌入させた際、前記瓶側ガイド部材の前記天板部が前記両頭針の前記支持板に接触可能となるように位置決めされた状態で前記針側ガイド部材と前記瓶側ガイド部材とが固定化されていてもよい。
【考案の効果】
【０００９】
本考案によれば、薬剤瓶を密閉している栓体に両頭針本体の針先を栓体の上面に対して直角な方向に確実に刺すことができるので、栓体の脱落を防止することができる。
【図面の簡単な説明】
【００１０】
【図１】本考案の実施例１の構成を示す斜視図である。
【図２】本考案の実施例１の構成を示す断面図である。
【図３】本考案の実施例１の動作説明図である。
【図４】本考案の実施例１の構成の説明図である。
【図５】本考案の実施例２の構成を示す斜視図である。
【図６】本考案の実施例２の動作説明図である。
【図７】従来の点滴用品の説明図である。
【図８】従来の点滴用品の説明図である。
【図９】従来の点滴用品の説明図である。
【考案を実施するための形態】
【００１１】
以下、図面を用いて本考案の実施例を説明する。
【実施例１】
【００１２】
図１は、本考案の実施例１の構成を示した斜視図である。本実施例１に係る針先ガイド器具は、瓶側ガイド部材４０と針側ガイド部材５０との組み合せによって構成されている。
【００１３】
また、図１において、１０は、従来から使用されている通常の構成の両頭針であり、２０は、内部に薬剤や薬液が収納されていて瓶口２０の内側がゴム製の栓体２２によって密閉されている通常の薬剤瓶であるのでその説明は省略する。
【００１４】
ここで、針側ガイド部材５０は円筒状の部材であり、その外径は、両頭針１０の円筒状のカバー部１２の内径Ｂと略等しい値に選ばれている。
【００１５】
瓶側ガイド部材４０は円筒状の部材であり、その一方の開口側（図１では上側の開口側）には、中央部に貫通口４２を有する天板部４１が配設されている。円筒状の瓶側ガイド部材４０の内径は、薬剤瓶２０の瓶口２１の外径Ａと略等しい値に選ばれている。また、その外径Ｃは、針側ガイド部材５０の内径と略等しい値に選ばれている。
【００１６】
以上のように構成された本実施例１においては、瓶側ガイド部材４０は薬剤瓶２０の瓶口２０の上部に冠着可能に形成されており、針側ガイド部材５０はカバー部１２の内側に嵌入自在となるように形成されている。さらに、針側ガイド部材５０の内側に瓶側ガイド部材４０が嵌入自在となるように両者はそれぞれ形成されている。
【００１７】
瓶側ガイド部材４０を薬剤瓶２０の瓶口２１の上部に冠着させ、針側ガイド部材５０を両頭針１０のカバー部１２の内側に嵌入させた状態での断面図を図２に示す。
【００１８】
以上のような状態、すなわち図３（ａ）に示したような状態から、瓶側ガイド部材４０が針側ガイド部材５０の内側に嵌入するような方向に使用者が両頭針５０を移動させれば、瓶側ガイド部材４０と針側ガイド部材５０とにガイドされて、両頭針本体１１の針先は栓体２２の上面に対して直角に刺さる方向に移動するので、図３（ｂ），（ｃ）に示したように栓体２２を脱落させることなく栓体２２を確実に貫通する。
【００１９】
ここで、図４（ａ）に示したように、瓶口２１の外径がＡの薬剤瓶用の内径の値が略Ａの瓶側ガイド部材４０を予め用意し、図４（ｂ）に示したように瓶口２１の外径がＡ´の薬剤瓶用に内径の値が略Ａ´の瓶側ガイド部材４０を予め用意しておけば、即ち瓶口の外径に合わせて内径のみが異なる瓶口ガイド部材を予め用意しておけば、針側ガイド部材５０を代えることなく本実施例１は使用することができる。
【００２０】
さらに、この瓶側ガイド部材４０を透明な材料で構成すれば、薬剤瓶２０の内部の視認を容易にするようにすることができる。
【実施例２】
【００２１】
図５は、本考案の実施例２の構成を示した斜視図である。
【００２２】
本実施例２が、先に説明した実施例１と異なるところは、針側ガイド部材５０内に瓶側ガイド部材４０が予め固定されている所である。なお、図５においては、瓶側ガイド部材４０は、針側ガイド部材５０と一体的に形成されている形態となっている。
【００２３】
ここで、針側ガイド部材５０内に瓶側ガイド部材４０を固定する場合には、図６（ａ）に示したように、針側ガイド部材を両頭針１０のカバー部１２の内部に嵌入させた際、瓶側ガイド部材４０の天板部４１が両頭針１０の支持板１３に接触するように位置決めされた状態で、瓶側ガイド部材４０は針側ガイド部材５０内に固定されている。
【００２４】
このように構成された本実施例２においては、針側ガイド部材５０を両頭針１０のカバー部１２内に嵌入させた状態で、瓶側ガイド部材４１内に薬剤瓶２０の瓶口２１が嵌入するように使用者が両頭針１０を移動させれば、図６（ａ），（ｂ）に示したように、瓶口２１と瓶側ガイド部材４０とにガイドされて、両頭針本体１１の針先は栓体２２の上面に対して直角に刺さる方向に移動し、栓体２２を確実に貫通する。
【符号の説明】
【００２５】
１０  両頭針
１１  両頭針本体
１２  カバー部
１３  支持板
２０，３０  薬剤瓶
２１，３１  瓶口
２２，３２  栓体
４０  瓶側ガイド部材
４１  天板部
４２  貫通口
５０  針側ガイド部材
Ａ，Ｂ，Ｃ  径
Ｍ，Ｙ  薬液
Ｘ  薬剤
【図１】
0003159642.tif 000003
【図２】
0003159642.tif 000004
【図３】
0003159642.tif 000005
【図４】
0003159642.tif 000006
【図５】
0003159642.tif 000007
【図６】
0003159642.tif 000008
【図７】
0003159642.tif 000009
【図８】
0003159642.tif 000010
【図９】
0003159642.tif 000011